(57)【要約】【課題】浴室内での髪の乾燥を可能とした、入浴・洗髪装置を提供すること。【解決手段】浴槽１１と洗髪槽２２とが上部に首支承部２２２が形成された境界壁２２０を介して連接された本体部Ａと、前記洗髪槽２２の内部の側壁から前記内部に露呈する複数の噴射口２３Ｅに温水、シャンプー液及び温風を択一的に供給する通路制御機構Ｃと、前記本体部Ａに枢着され、前記浴槽１１内で前記境界壁２２０に凭れて仰向けになった使用者Ｈが首を前記首支承部２２２上に載せて頭部を前記洗髪槽２２内に位置させたときに前記頭部を包囲するフード２１とを備えた、入浴・洗髪装置を構成した。【選択図】      図１
2004173969.tif 000002
【特許請求の範囲】
【請求項１】
浴槽と洗髪槽とが上部に首支承部が形成された境界壁を介して連接された本体部と、前記洗髪槽の内部の側壁から前記内部に露呈する複数の噴射口に温水、シャンプー液及び温風を択一的に供給する通路制御機構と、前記本体部に枢着され、前記浴槽内で前記境界壁に凭れて仰向けになった使用者が首を前記首支承部上に載せて頭部を前記洗髪槽内に位置させたときに前記頭部を包囲するフードとを備えた、入浴・洗髪装置。
【発明の詳細な説明】
【０００１】
【発明の属する技術分野】
本発明は、入浴時に、入浴者が浴槽につかったまま洗髪ができる、入浴・洗髪装置に関する。
【０００２】
【従来の技術】
従来の入浴・洗髪装置は、浴槽と洗髪槽とが上部に首支承部が形成された境界壁を介して連接された本体部を備え、前記浴槽内で前記境界壁に凭れて仰向けになった入浴者が首を前記首支承部上に載せて頭部を前記洗髪槽内に位置させた状態で、洗髪槽で髪のシャンプー及びすすぎ洗浄がなされるようになっている（例えば特許文献１）。かようなシャンプー及びすすぎ洗浄からなる洗髪が終了次第、入浴者は浴槽から出て、脱衣室で濡れた髪をタオルで拭いて髪を乾燥させる。
【０００３】
【特許文献１】
特開２００１−２９９８６７号公報  （第１〜２頁、図１〜４）
【０００４】
【発明が解決しようとする課題】
ところが、前記した入浴・洗髪装置を用いた場合、かようなシャンプー及びすすぎ洗浄からなる洗髪が終了次第、入浴者は浴槽から出て、脱衣室で濡れた髪をタオルで拭いて髪を乾燥させることになるが、脱衣室の温度が低いと、髪の乾燥に時間を要することに鑑みれば、風邪を引く可能性がある。特に、入浴者が被介護者である場合、健常者に比べて髪の乾燥に手間取るので、この分、この危険性が増大する。
【０００５】
それ故に、本発明は、浴室内で髪の乾燥を可能ならしめる、入浴・洗髪装置を提供することを、技術的課題とする。
【０００６】
【課題を解決するための手段】
上記した課題を解決するために講じた技術的手段は、「浴槽と洗髪槽とが上部に首支承部が形成された境界壁を介して連接された本体部と、前記洗髪槽の内部の側壁から前記内部に露呈する複数の噴射口に温水、シャンプー液及び温風を択一的に供給する通路制御機構と、前記本体部に枢着され、前記浴槽内で前記境界壁に凭れて仰向けになった使用者が首を前記首支承部上に載せて頭部を前記洗髪槽内に位置させたときに、前記使用者の呼吸を確保しつつ、前記頭部を包囲するフードとを備えた、入浴・洗髪装置」を構成したことである。
【０００７】
【発明の実施の形態】
図１〜図６に依拠して、本発明にかかる入浴・洗髪装置の一実施形態について説明する。
【０００８】
入浴・洗髪装置１は、本体部Ａを備える。しかして、本体部Ａは、浴槽１１、洗髪槽２２及びこの両者の境界を区画し且つ上部に首支承部２２２が形成された境界壁２２０から構成される。
【０００９】
洗髪槽２２の内部空間は、境界壁２２０を含む内壁２２４及び底部２２６とから構成される上方開放空間である。しかして、境界壁２２２に凭れるように仰向けになった使用者Ｈが首を首支承部２２２に載せたとき、使用者の頭部の略後半分及び髪が洗髪槽２２の内部に位置するようになっている。
【００１０】
本体部１上には、洗髪槽２２を挟んで首支承部２２２と対向する位置に、突起部２２１が一体形成されている。洗髪槽２２内に位置する使用者Ｈの頭部及び髪を洗髪する際に、使用者Ｈの呼吸を確保しつつ、頭部を包囲するフード２１が、本体部１に枢着されている。すなわち、本体部１の、洗髪槽２２を挟んで首支承部２２２と対峙する位置に突起部２２１が一体形成されている。しかして、この突起部２２１を収容する一対の突起２１１がフード２１の頭部側開口２１２と反対の側から延在しており、各突起２１１が図示されないピンにより、突起部２２１の端面に枢支されることにより、フード２１が本体部１に対して、所定角度だけ、つまり使用位置（閉鎖位置）と不使用位置（開放位置）との間を、回動可能とされている。尚、フード２１の使用時、頭部側開口２１２の内縁部と頭部との間には、タオル４２が嵌着され、洗髪槽２２内部から水その他の流体が飛び出て顔に付着するのを防止するようになっている。
【００１１】
洗髪槽２２の内壁２２４からは、内部に向かって複数の配管２３の開口端部２３Ｅが露呈ないしは開口している。後述するように、複数の配管２３には、順次、温水、シャンプー液、温水、リンス液、温水、及び温風が、通路制御機構Ｃの作用で、この順序で、所定のタイミングで供給されるようになっており、髪の予備洗浄、シャンプー、すすぎ、リンス、すすぎ、及び乾燥が、連続して、自動的に（使用者は手を一切使わずに）行うことができるようになっている。
【００１２】
通路制御機構Ｃはマイコンを主体とする制御部２７を備えており、分配バルブ２３１、切り換えバルブ２３２、混合バルブ２３７、ツインポンプ２３８、エアコンプレッサ２３９、分流バルブ２５６、温水タンク２６１内の水を昇温するヒータ２６２、ヒータ２６２により暖められた水の温度を常時測定する温度センサ２６３、水位センサ２６４、切り換えバルブ２３４、切り換えバルブ１１２、ポンプ１１３及び排水バルブ２２３が、制御部２７の統制下にある。
【００１３】
分配バルブ２３１の各出口は、対応する配管２３に接続されている。分配バルブ２３１の入口は、切り換えバルブ２３２の第１出口に接続されている。しかして、切り換えバルブ２３２の第１入口、第２入口、第３入口及び第４入口は、夫々、切り換えバルブ２３４の第１入口、混合バルブ２３７の出口、シャンプー液タンク２３５、リンス液タンク２３６及び切り換えバルブ２３４の第１出口に接続されている。
【００１４】
混合バルブ２３７の第１入口及び第２入口は、夫々、ツインポンプ２３８の第１吐出口及び第２出口に接続されている。ツインポンプ２３８の第１吸入口及び第２吸入口は、夫々、温水タンク２６１及び分配バルブ２５６の第１出口に接続されている。しかして、分配バルブ２５６の入口は水道管２５４に接続されており、また、分配バルブ２５６の第２出口は、配管２５３を介して、温水タンク２６１に接続される。
【００１５】
切り換えバルブ２３４の第２入口は、エアコンプレッサ２３９の吐出口に接続されている。しかして、切り換えバルブ２３４の吐出口は、配管１１４を介して、切り換えバルブ１１２の第１入口に接続されている。また、バルブ１１２の第２入口及び出口は、夫々、浴槽１１の底部に位置する吸入部１１５及び浴槽１１内に延在・開口するパイプ１１１に接続されている。
【００１６】
上記した構成を備える入浴・洗髪装置１の操作は、浴室の壁面に設置せられた操作部３を介して行われる。
【００１７】
入浴・洗髪装置１を作動させる前に、温水タンク２６１内に、所定温度の温水が満杯とされる。すなわち、制御部２７１の指示により、切り換えバルブ２５６が変移されて、温水タンク２６１に連通する配管２５３と水道管２５４とが連通状態とされ、水道水が温水タンク２６１内に流入する。温水タンク内に流入した水の水位は次第に上昇して、水位が所定高さに達したことを水位センサ２６４が検知すると、制御部２７は切り換えバルブ２５６を変移して温水タンク２６１と水道管２５４との連通を遮断する。このとき、水道管２５４はポンプ２３８の第１吸入口と連通する。
【００１８】
この状態で、使用者Ｈが入浴して、図３に示すような姿勢で洗髪準備ができると、操作部３の第１ボタンを操作すると、切り換えバルブ２３２が第１位置に変移されると同時にポンプ２３８が駆動される。すると、温水タン２６１内の温水及び水道水が、夫々配管２５２及び２５１を介して、混合バルブ２３７に圧送・供給される。混合バルブ２３７内においては、かような温水と水道水とが混合されて、適度な温度に調温された洗浄温水が生成され、この洗浄温水が、配管２３１の開口２３Ｅから洗髪槽２２内に噴射される。しかして、図３に図示されているように、洗髪槽２２内には使用者Ｈの後頭部が位置しているので、この後頭部及び髪に、洗浄温水が噴射され、予備洗髪がなされる。洗浄温水の温度及び予備洗浄の時間（切り換えバルブ２３２が第１位置に変移されているときのポンプ２３８の駆動時間）は、操作部３のボタン（図示略）を用いて、調整することができる。
【００１９】
予備洗髪が所定時間だけなされると、次にシャンプーがなされる。すなわち、切り換えバルブ２３２が、第１入口及び第２入口を開く第２位置に変移される。このとき、切り換えバルブ２３２の第１入口には混合バルブ２３７から適温にされた洗浄温水が圧送供給されており、また、第２入口にはシャンプー液タンク２３５からシャンプー液が供給されている。したがって、切り換えバルブ２３２からは希釈シャンプー液が吐出されて、この希釈シャンプー液が、配管２３１の開口２３Ｅから洗髪槽２２内の後頭部の髪に噴射されて、シャンプーがなされる。このシャンプーは、所定時間継続してなされる。もとより、シャンプーを所望の回数だけ行うようにしても良い（この場合、操作部３のボタン（図示略）を用いて、調整することになる）し、シャンプーを効果的に行うために、ポンプ２３８を間歇駆動させて、希釈シャンプー液をパルス状に噴射させるようにしても良い。
【００２０】
シャンプーが終了すると、排水バルブ２２３が開かれて、洗髪槽２２内に溜まったシャンプーに使われた希釈シャンプー液が排出される。この排出がなされると、排水バルブ２２３が再度、閉じられる。
【００２１】
次いで、すすぎ洗いがなされる。すなわち、切り換えバルブ２３２が再度、第１位置に変移されて、洗浄温水が、配管２３１の開口２３Ｅから洗髪槽２２内の後頭部の髪に向けて噴射され、髪に残留する希釈シャンプー液を洗い落とされるようになっている。このすすぎ洗いも、所定時間、１回だけなされる。もとより、すすぎ洗いを所望の回数だけ行うようにしても良い（この場合、操作部３のボタン（図示略）を用いて、調整することになる）し、すすぎ洗いを効果的に行うために、ポンプ２３８を間歇駆動させて、洗浄温水をパルス状に噴射させるようにしても良い。
【００２２】
すすぎ洗いが終了すると、排水バルブ２２３が開かれて、洗髪槽２２内に溜まったすすぎ洗いに使われた洗浄温水及び髪から洗い流した希釈シャンプー液が排出される。この排出がなされると、排水バルブ２２３が再度、閉じられる。
【００２３】
次いで、リンスがなされる。すなわち、切り換えバルブ２３２が、第１入口及び第３入口を開く第３位置に変移される。このとき、切り換えバルブ２３２の第１入口には混合バルブ２３７から適温にされた洗浄温水が圧送供給されており、また、第３入口にはリンス液タンク２３６からリンス液が供給されている。したがって、切り換えバルブ２３２からは希釈リンス液が吐出されて、この希釈リンス液が、配管２３１の開口２３Ｅから洗髪槽２２内の後頭部の髪に噴射されて、リンスがなされる。このリンスは、所定時間継続してなされる。もとより、リンスを所望の回数だけ行うようにしても良い（この場合、操作部３のボタン（図示略）を用いて、調整することになる）し、リンスを効果的に行うために、ポンプ２３８を間歇駆動させて、希釈リンス液をパルス状に噴射させるようにしても良い。
【００２４】
リンスが終了すると、排水バルブ２２３が開かれて、洗髪槽２２内に溜まったリンスに使われた希釈リンス液が排出される。この排出がなされると、排水バルブ２２３が再度、閉じられる。
【００２５】
次いで、髪の乾燥がなされる。すなわち、切り換えバルブ２３２の第４位置（第４入口のみが開かれる）への変移、切り換えバルブ２３４の第１位置（エアコンプレッサ２３９の吐出口を切り換えバルブ２３２の第４入口に連通させる位置）への変移及びエアコンプレッサ２３９の駆動が同時になされ、温風が、配管２３１の開口２３Ｅから洗髪槽２２内の後頭部の髪に噴射されて、髪の乾燥がなされる。このリンスは、所定時間継続してなされる。そして、所定時間経過すると、エアコンプレッサ２３９が停止される。
【００２６】
尚、切り換えバルブ２３４の第２位置（エアコンプレッサ２３９の吐出口を切り換えバルブ１１２の第１入口に連通させる位置）への変移及びエアコンプレッサ２３９の駆動が同時になすことにより、浴槽１１内の湯に温風を送って、気泡を生成することのできる。
【００２７】
以上、本発明の実施の形態について説明したが、本発明は上述した実施の形態に限定される意図はなく、本発明の趣旨に沿った形態の入浴・洗髪装置であれば、どのようなものでもよい。
【００２８】
【発明の効果】
請求項１の発明によれば、「浴槽と洗髪槽とが上部に首支承部が形成された境界壁を介して連接された本体部と、前記洗髪槽の内部の側壁から前記内部に露呈する複数の噴射口に温水、シャンプー液及び温風を択一的に供給する通路制御機構と、前記本体部に枢着され、前記浴槽内で前記境界壁に凭れて仰向けになった使用者が首を前記首支承部上に載せて頭部を前記洗髪槽内に位置させたときに前記頭部を包囲するフードとを備えた、入浴・洗髪装置」を構成したので、浴室内での髪の乾燥を可能とし、脱衣室で裸で髪の乾燥をする必要がなく、実用上、多大な効果を奏する。
【図面の簡単な説明】
【図１】本発明にかかる入浴・洗髪装置の一実施態様の斜視図である。
【図２】図１の入浴・洗髪装置の主要部の分解斜視図である。
【図３】図１の入浴・洗髪装置の使用状態の断面図である。
【図４】図１の入浴・洗髪装置の配管ダイアグラムである。
【符号の説明】
Ａ・・・本体部
Ｃ・・・通路制御機構
Ｈ・・・使用者
１１・・・浴槽
２１・・・フード
２２・・・洗髪槽
２２０・・・境界壁
２２２・・・首支承部
【図１】
2004173969.tif 000003
【図２】
2004173969.tif 000004
【図３】
2004173969.tif 000005
【図４】
2004173969.tif 000006